(57)【要約】【課題】排水性能の低下を抑制しながらも、車両のルーフに形成された開口及び該開口を閉塞するパネル間の境界部から浸入した水滴の飛沫の室内への浸入を抑制することができるサンルーフのドレイン装置を提供する。【解決手段】車両のルーフ１０に形成された開口１０ａ及び該開口１０ａを閉塞する可動パネル１２間の境界部Ｂに沿って延びるようにその車両の高さ方向下方に位置する底壁２２、該底壁２２の可動パネル１２側に対向する縁端から車両の高さ方向上方に起立する第１側壁２３及び底壁２２の開口１０ａ側に対向する縁端から車両の高さ方向上方に第１側壁２３よりも大きく起立する第２側壁２４を有するドレイン部２１と、境界部Ｂに沿って延びるように底壁２２に車両の高さ方向上方に突設され、可動パネル１２側に対向する面よりも開口１０ａ側に対向する面（部位Ｓ）の方が緩やかに傾斜する鋸歯形状２５，２６とを備える。【選択図】図３
2016083956.tif 000002
【特許請求の範囲】
【請求項１】
車両のルーフに形成された開口及び該開口を閉塞するパネル間の境界部に沿って延びるようにその車両の高さ方向下方に位置する底壁、該底壁の前記パネル側に対向する縁端から車両の高さ方向上方に起立する第１側壁及び前記底壁の前記開口側に対向する縁端から車両の高さ方向上方に前記第１側壁よりも大きく起立する第２側壁を有するドレイン部と、
前記境界部に沿って延びるように前記底壁に車両の高さ方向上方に突設され、前記パネル側に対向する面よりも前記開口側に対向する面の方が緩やかに傾斜する鋸歯形状とを備えた、サンルーフのドレイン装置。
【請求項２】
請求項１に記載のサンルーフのドレイン装置において、
前記底壁には、その延在方向に直線状に通じる通し溝が形成され、
前記鋸歯形状をその延在方向の途中でなくす途切れ部が設定された、サンルーフのドレイン装置。
【請求項３】
請求項１又は２に記載のサンルーフのドレイン装置において、
前記途切れ部は、前記鋸歯形状の湾曲の起点に配置された、サンルーフのドレイン装置。
【発明の詳細な説明】
【技術分野】
【０００１】
本発明は、サンルーフのドレイン装置に関するものである。
【背景技術】
【０００２】
従来、サンルーフのドレイン装置としては、例えば特許文献１に記載されたものが知られている。この装置は、樋状のドレイン通路（ドレイン部）の底面に水滴破砕手段が設けられており、該水滴破砕手段により開閉体及び開口部の閉止部分（境界部）から浸入して落下する雨水等の水滴を細分することで、該水滴の飛び跳ねる高さを低くするものである。これにより、ドレイン通路の側壁を高くすることなく水滴の飛沫がドレイン通路の外方に飛び散ることを防止できるとしている。
【先行技術文献】
【特許文献】
【０００３】
【特許文献１】特開２００８−６３７４２号公報
【発明の概要】
【発明が解決しようとする課題】
【０００４】
ところで、特許文献１では、例えば高圧洗浄時に浸入等する水滴の場合、非常に勢いが強いことから、水滴の落下エネルギーを十分に減少できるようにこれを細分化するためには水滴破砕手段の凸部の突出長を十分に確保する必要があり、水滴破砕手段によってドレイン通路の排水性能が低下する可能性がある。
【０００５】
本発明の目的は、排水性能の低下を抑制しながらも、車両のルーフに形成された開口及び該開口を閉塞するパネル間の境界部から浸入した水滴の飛沫の室内への浸入を抑制することができるサンルーフのドレイン装置を提供することにある。
【課題を解決するための手段】
【０００６】
上記課題を解決するサンルーフのドレイン装置は、車両のルーフに形成された開口及び該開口を閉塞するパネル間の境界部に沿って延びるようにその車両の高さ方向下方に位置する底壁、該底壁の前記パネル側に対向する縁端から車両の高さ方向上方に起立する第１側壁及び前記底壁の前記開口側に対向する縁端から車両の高さ方向上方に前記第１側壁よりも大きく起立する第２側壁を有するドレイン部と、前記境界部に沿って延びるように前記底壁に車両の高さ方向上方に突設され、前記パネル側に対向する面よりも前記開口側に対向する面の方が緩やかに傾斜する鋸歯形状とを備える。
【０００７】
この構成によれば、前記境界部から浸入した水滴の飛沫は、基本的に前記鋸歯形状の緩やかに傾斜する前記開口側に対向する面に当たることで、相対的に大きく起立する前記第２側壁に向かって飛散するとともに、該第２側壁に受けられることで前記底壁上に落下する。このように、前記境界部から浸入した水滴の飛沫の進路が案内されることで、前記パネル側である室内への浸入を抑制することができる。また、前記鋸歯形状は、前記底壁に突設されるものの、前記境界部に沿って延びていることで、即ち前記ドレイン部の排水方向に延びていることで、該ドレイン部の排水性能の低下を抑制することができる。
【０００８】
上記サンルーフのドレイン装置について、前記底壁には、その延在方向に直線状に通じる通し溝が形成され、前記鋸歯形状をその延在方向の途中でなくす途切れ部が設定されることが好ましい。
【０００９】
通常、前記境界部は、前記パネルの意匠に合わせて両端部が湾曲することになり、前記鋸歯形状も前記境界部の両端部の位置で湾曲することになる。この場合、当該湾曲する部位で前記鋸歯形状の凹凸部分に水が溜まりやすくなる。この構成によれば、前記鋸歯形状の凹凸部分に溜まった水は、前記途切れ部を通って前記通し溝に導かれることで、より円滑に排水することができ、前記ドレイン部内に水が溜まることを抑制できる。
【００１０】
上記サンルーフのドレイン装置について、記途切れ部は、前記鋸歯形状の湾曲の起点に配置されることが好ましい。
この構成によれば、前記途切れ部が前記鋸歯形状の凹凸部分に水が溜まりやすいその湾曲の起点に配置されることで、いっそう円滑に排水することができる。
【発明の効果】
【００１１】
本発明は、排水性能の低下を抑制しながらも、車両のルーフに形成された開口及び該開口を閉塞するパネル間の境界部から浸入した水滴の飛沫の室内への浸入を抑制できる効果がある。
【図面の簡単な説明】
【００１２】
【図１】本発明の一実施形態を概略的に示す平面図。
【図２】同実施形態を示す平面図。
【図３】（ａ）、（ｂ）は、図２の３Ａ−３Ａ線及び３Ｂ−３Ｂ線に沿った断面図。
【発明を実施するための形態】
【００１３】
以下、サンルーフのドレイン装置の一実施形態について説明する。なお、以下では、車両の前後方向を「前後方向」といい、車両の高さ方向上方及び下方をそれぞれ「上方」及び「下方」という。
【００１４】
図１に示すように、自動車などの車両のルーフ１０には、略四角形の開口１０ａが形成されるとともに、サンルーフ装置１１が搭載される。このサンルーフ装置１１は、前後方向に移動して開口１０ａを開閉する、例えばガラス板からなる略四角形の可動パネル１２を備える。また、サンルーフ装置１１は、開口１０ａの車両の幅方向両縁部に配設された一対のガイドレール１３を備える。各ガイドレール１３は、例えばアルミニウム合金の押出材からなり、長手方向に一定断面を有して前後方向に延在する。さらに、サンルーフ装置１１は、開口１０ａの前縁部に沿って車両の幅方向に延在するフロントハウジング１４を備える。このフロントハウジング１４は、両ガイドレール１３の前端同士を連結する。また、可動パネル１２には、その後縁部に沿って車両の幅方向に延在する、例えば樹脂材からなるレインチャンネル２０が一体移動するように連結されている。
【００１５】
従って、全閉状態にある可動パネル１２（開口１０ａを閉塞する可動パネル１２）及び開口１０ａ間の境界部の下方には、基本的に車両の幅方向各縁部においてガイドレール１３が、前縁部においてフロントハウジング１４が、後縁部においてレインチャンネル２０が位置している。これにより、全閉状態にある可動パネル１２及び開口１０ａの境界部から浸入した雨水等の水滴は、両ガイドレール１３、フロントハウジング１４及びレインチャンネル２０のいずれかで受けられる。以下では、境界部を基準とする方向で可動パネル１２側及び開口１０ａ側をそれぞれ「内側」及び「外側」という。
【００１６】
なお、可動パネル１２は、各ガイドレール１３に設置された周知の機能部品（図示略）に連係及び支持されており、該機能部品の作動に伴って開閉作動する。すなわち、可動パネル１２は、その前部を中心に一方向に回動することで後部が上動するチルトアップ動作、前部を中心に他方向に回動することで後部が下動するチルトダウン動作、及び前後方向へのスライド動作をする。可動パネル１２の開閉作動においては、チルトダウン状態のままスライド動作する、いわゆるインナースライディング式が採用されている。この際、可動パネル１２は、レインチャンネル２０と共に両ガイドレール１３に沿って車両の後方に移動する。
【００１７】
次に、レインチャンネル２０について説明する。
図２及び図３（ａ）、（ｂ）に示すように、レインチャンネル２０は、全閉状態にある可動パネル１２及び開口１０ａ間の境界部Ｂ（シール部に相当）に沿って車両の幅方向に延在するドレイン部２１を備える。このドレイン部２１は、当該境界部Ｂに沿って延びるようにその下方に位置する略長尺状の底壁２２と、該底壁２２の内側端（可動パネル１２側に対向する縁端）から上方に起立する第１側壁２３と、底壁２２の外側端（開口１０ａ側に対向する縁端）から上方に起立する第２側壁２４とを一体的に有して上方に開口する断面略Ｕ字状に成形されている。従って、ドレイン部２１は、境界部Ｂの下方で車両の幅方向に通じている。
【００１８】
なお、境界部Ｂの角部（端部）は、可動パネル１２の意匠に合わせて湾曲している。そして、ドレイン部２１の車両の幅方向各端部は、第１側壁２３が境界部Ｂの角部の車両の前方への湾曲に合わせて湾曲している一方、第２側壁２４が車両の幅方向に直線状に延びていることで、底壁２２の拡幅分だけ先端に向かって徐々に拡開されている。また、底壁２２は、大まかには内側端よりも外側端の方が下方に位置するように傾斜している。これは、可動パネル１２がチルトダウン状態でスライド動作する際、各ガイドレール１３の延在方向に底壁２２が略平行になるようにレインチャンネル２０の姿勢を保持するためである。さらに、底壁２２は、第２側壁２４との接続部（外側端）において略台状に隆起する隆起部２２ａを有しており、該隆起部２２ａの相対的に下方に位置する下端（内側端）において略Ｖ字状の通し溝２７を形成する。従って、この通し溝２７は、第２側壁２４に沿ってドレイン部２１の車両の幅方向先端まで通じている。第２側壁２４は、その車両の高さ方向の寸法が第１側壁２３の当該寸法よりも大きく設定されて、該第１側壁２３よりも大きく起立している。
【００１９】
底壁２２の車両の幅方向各端部には、境界部Ｂに沿って車両の幅方向に延びるように一対の鋸歯形状２５，２６が上方に突設されている。両鋸歯形状２５，２６は、前後方向に並設されており、共に頂部を挟んでその後方の部位（開口１０ａ側に対向する面）Ｓの方が前方の部位（可動パネル１２側に対向する面）よりも緩やかに傾斜している。すなわち、両鋸歯形状２５，２６の各々は、頂部を挟んでその前方の部位が底壁２２に対して略直角に起立しており、後方の部位Ｓが底壁２２に対して緩やかに傾斜している。なお、前方の鋸歯形状２５は、底壁２２よりも上方で後方の鋸歯形状２６に接続されている。
【００２０】
また、底壁２２には、両鋸歯形状２５，２６を共にその車両の幅方向（延在方向）の途中でなくす途切れ部２８が設定されている。この途切れ部２８は、境界部Ｂの角部の車両の前方への湾曲の起点に配置されている。
【００２１】
次に、本実施形態の作用について説明する。
例えば降雨などで境界部Ｂから浸入した雨水等の水滴は、底壁２２で受けることでドレイン部２１に沿って車両の幅方向に流れる。そして、ドレイン部２１の開口端（車両の幅方向先端）に到達した水は、車両に搭載される周知の排水装置を介して外部に排出される。
【００２２】
一方、図３（ａ）に示すように、例えば高圧洗浄時などで境界部Ｂから浸入した水滴の飛沫Ｗは、基本的に鋸歯形状２５，２６の緩やかに傾斜する後方の部位Ｓに当たることで、相対的に大きく起立する第２側壁２４に向かって飛散するとともに、該第２側壁２４に受けられることで底壁２２上に落下する。このように、境界部Ｂから浸入した水滴の飛沫Ｗの進路が案内されることで、可動パネル１２側である室内への浸入が抑制される。
【００２３】
以上詳述したように、本実施形態によれば、以下に示す効果が得られるようになる。
（１）本実施形態では、境界部Ｂから浸入した水滴の飛沫Ｗは、基本的に鋸歯形状２５，２６の緩やかに傾斜する後方の部位Ｓに当たることで、相対的に大きく起立する第２側壁２４に向かって飛散するとともに、該第２側壁２４に受けられることで底壁２２上に落下する。このように、境界部Ｂから浸入した水滴の飛沫Ｗの進路が案内されることで、可動パネル１２側である室内への浸入を抑制することができる。また、鋸歯形状２５，２６は、底壁２２に突設されるものの、境界部Ｂに沿って溝状に延びていることで、即ちドレイン部２１の排水方向に延びていることで、該ドレイン部２１の排水性能の低下を抑制することができる。
【００２４】
（２）鋸歯形状２５，２６は、境界部Ｂの湾曲する車両の幅方向両端部の位置で湾曲しており、当該湾曲する部位で鋸歯形状２５，２６の凹凸部分に水が溜まりやすくなる。本実施形態では、図３（ｂ）に示すように、鋸歯形状２５，２６の凹凸部分に溜まった水は、途切れ部２８を通って通し溝２７に導かれることで、より円滑に排水することができ、ドレイン部２１内に水が溜まることを抑制できる。特に、底壁２２は、内側端よりも外側端の方が下方に位置するように傾斜していることで、鋸歯形状２５，２６の凹凸部分に溜まった水の途切れ部２８を介した通し溝２７への導きがいっそう円滑化される。
【００２５】
（３）本実施形態では、途切れ部２８が鋸歯形状２５，２６の凹凸部分に水が溜まりやすいその湾曲の起点に配置されることで、いっそう円滑に排水することができる。
（４）本実施形態では、鋸歯形状２５，２６を底壁２２の一部（車両の幅方向両端部）にのみ設けたことで、境界部Ｂから浸入した水滴の飛沫Ｗの室内への浸入を抑制しながらも、ドレイン部２１の排水性能の低下を好適に抑制することができる。
【００２６】
（５）本実施形態では、ドレイン部２１を構成する第２側壁２４を利用して飛散する水滴の飛沫Ｗを受けるようにしたことで、例えばゴムなどの別部品で受ける場合に比べて部品点数及びコストを削減することができる。
【００２７】
（６）本実施形態では、境界部Ｂから浸入した水滴の飛沫Ｗを、鋸歯形状２５，２６により室内に向かって飛散しにくくすることができる。
（７）本実施形態では、境界部Ｂから浸入した水滴の飛沫Ｗの室内への浸入を抑制することで、室内側に搭載されがちな電子部品をより確実に保護することができる。
【００２８】
（８）本実施形態では、ドレイン部２１の第２側壁２４の車両の高さ方向の寸法が相対的に大きいものの、該第２側壁２４が配置スペースの制約を比較的受けにくい開口１０ａの後方に位置することで、車両搭載性の悪化を抑えることができる。
【００２９】
なお、上記実施形態は以下のように変更してもよい。
・前記実施形態において、鋸歯形状２５，２６の頂部を挟んでその前方の部位は、後方の部位Ｓよりも急峻であれば底壁２２に対して後倒れに傾斜していてもよい。
【００３０】
・前記実施形態において、途切れ部２８の配置及び個数は任意である。また、途切れ部２８を省略してもよい。
・前記実施形態において、周辺部品との干渉を回避できるのであれば、鋸歯形状２５，２６は、底壁２２（ドレイン部２１）の略全長に亘って車両の幅方向に延在していてもよい。
【００３１】
・前記実施形態において、底壁２２に突設する鋸歯形状は一つでもよいし、３つ以上であってもよい。
・前記実施形態において、各ガイドレール１３のドレイン部（底壁）やフロントハウジング１４のドレイン部（底壁）に同様の鋸歯形状を突設してもよい。
【００３２】
・可動パネル１２に代えて、開口１０ａを常時閉塞する固定パネルであってもよい。
【符号の説明】
【００３３】
Ｂ…境界部、１０…ルーフ、１０ａ…開口、１２…可動パネル（パネル）、２１…ドレイン部、２２…底壁、２３…第１側壁、２４…第２側壁、２５，２６…鋸歯形状、２７…通し溝、２８…途切れ部。
【図１】
2016083956.tif 000003
【図２】
2016083956.tif 000004
【図３】
2016083956.tif 000005